(57)【要約】      （修正有）【課題】個々のバッフルに上から被せて使用することで、これにより洗濯物の分散の障害になることは改善され、ドラムの内周壁に広く分散し、振動の軽減に役立つ洗濯機用修正バッフルを提供する。【解決手段】洗濯機用修正バッフルを洗濯機のドラムのバッフルに被せ、回転ドラムの回転軸方向に対し直角方向の横断面は、不等辺三角形又は不等辺四角形の形をなし、該突出構造の頂点を含む尾根に当たる個所から見て正面と呼ばれる一番の急傾斜の斜面があり、それの反対側には背面と呼ばれる緩やかな傾斜角の斜面の構造を持ち、該傾斜面の長さは正面の長さと比べ長く、該背面には洗濯物の移動を妨げる凹凸構造がない形状とした。【選択図】なし【特許請求の範囲】
【請求項１】
ドラム式洗濯機の回転ドラムに搭載されているバッフルの特性を修正する洗濯機用バッフルであって、該洗濯機用バッフルの形状は、三角形屋根のテントの天幕の様な形状をなし、それは回転ドラムの内壁に固定される構造を持ち、突出構造を内壁に形成し、回転ドラムの回転軸方向に対し直角方向に、被せた該洗濯機用バッフルを切断すると、該突出構造の横断面は、不等辺三角形又は不等辺四角形の形をなし、該突出構造の頂点を含む尾根に当たる個所から見て「正面」と呼ばれる一番の急傾斜の斜面があり、それの反対側には「背面」と呼ばれる斜面があり、該斜面は正面及び被覆されるバッフルの傾斜角より緩やかな傾斜角の斜面の構造を持ち、該傾斜面の長さは「正面」の長さと比べ長く、該「背面」には洗濯物の移動を妨げる凹凸構造がない形状で、洗濯物を攪拌する為の個々のバッフルに上から被せて使用することを特徴とする洗濯機用バッフル  
【発明の詳細な説明】
【技術分野】
【０００１】
ドラム式洗濯機のバッフル
【背景技術】
【０００２】
従来ドラム式洗濯において洗濯と脱水を同じ回転ドラム図６が使用され、それにバッフルと呼ばれる突出構造が回転ドラムの内壁に付いており、それは洗濯物（２）を攪拌する目的とし、回転ドラム（１）（以後「回転ドラム」を「ドラム」と呼ぶ）を回転軸（８）方向に対し直角方向に、その突出構造を切断すると、その横断面が二等辺三角形の立体突起物が搭載されている事が多い。このバッフルはドラム（１）内の洗濯物（２）を、ドラム（１）が回転する時、回転方向に持ち上げる働きをする。ドラム式洗濯機の洗濯は洗剤の洗浄力とバッフルが持ち上げて落とす“もみ洗い”と“たたき洗い”等の機械的な力で行う。
【０００３】
機械的洗浄力を増加させようと特開平09-215894また実全Ｓ54-176274，Ｓ55-053081で、バッフルに洗濯板の効果を期待し、凹凸の波型状を付けている。また高めの鋭角な三角形等のバッフルを取り付けて機械力を増す効果を考えているモデルもある。
【０００４】
機械力を有効に使用して洗浄効率を高める洗濯機構は、従来の水流方式の渦巻き式洗濯機と比べ非常に優れている。しかし洗剤の量と水の量と洗濯物（２）の量のバランスが崩ずれると洗濯物（２）は図１の様にドラム（１）の上部に上げることが出来ないで“ずれ落ちる”状態で小さく回転する。この回転状態は殆ど機械的な力が洗濯物に掛からないので、従来の渦巻き式洗濯機の洗浄効率の方が高い。このような状態は非常に多い。
【０００５】
2004年の国民生活センターの商品テスト評価及び日本生活センタ−報告（実験結果---洗濯効果比較）に有る様に、多くのドラム（１）では洗濯物（２）と水の量のバランスが崩れると、水の中で洗濯物（２）が泳いでいる状態になり、図２のごとく洗濯が出来なくなる。
【０００６】
今日の技術で高額の投資をすれば解決できないものがないであろうが、しかし洗濯機は毎日の様に誰でも使用するもので、故障が無いことが要求される。使用部品数が多くなれば故障率が高くなる。それゆえ当然構造は非常に簡単であることが必要である。また汚れは複雑なので機械で測れない経験も重要視される分野である。
【０００７】
【特許文献１】実全昭54-176274
【特許文献２】実全昭55-167387
【特許文献３】特開昭56-083393
【特許文献４】特開昭56-158690
【特許文献５】実全昭58-043378
【特許文献６】実全昭60-015283
【特許文献７】実全平01-014392
【特許文献８】実全平01-128779
【特許文献９】特開平02-005993
【特許文献１０】特開平04-092697
【特許文献１１】実全平04-093086
【特許文献１２】特開平05-184766
【特許文献１３】特開平8-266777
【特許文献１４】特開平8-4593
【特許文献１５】特開平11-76679
【特許文献１６】特開2002-315985
【特許文献１７】特開2004-5765
【特許文献１８】実全昭55-053081
【特許文献１９】特開昭56-031791
【特許文献２０】特開昭56-083394
【特許文献２１】実全昭57-030180
【特許文献２２】実全昭59-165179
【特許文献２３】実全昭63-186186
【特許文献２４】特開平01- 015398
【特許文献２５】実全平03-168281
【特許文献２６】実全平02-048079
【特許文献２７】特開平04-097784
【特許文献２８】特開平04-240489
【特許文献２９】特開平09-215894
【特許文献３０】特開平8-131685
【特許文献３１】特開平9-215894
【特許文献３２】特開2001-218993
【特許文献３３】特開2004-89339
【発明の開示】
【発明が解決しようとする課題】
【０００８】
解決しようとする問題は、上記説明から分かるように、ドラム（１）の中で洗濯物（２）を高い位置から落下させ、同時に脱水回転時における振動を軽減する事が課題となる。
【０００９】
これら課題をバッフルにより改善する。この図４の様な、三角形屋根のテントの天幕状の部品（以後「三角形屋根のテントの天幕状の部品」を「洗濯機用修正バッフル（４）」と呼ぶ）を洗濯機のドラム（１）のバッフル（３）に被せ、ドラム（１）の内壁に図５の様に固定し、突出構造を作り、ドラム（１）の回転軸（８）方向に対し直角方向に、被せた補修用バッフルを切断すると、そのドラム（１）の内壁と形成する横断面は不等辺三角形に、また洗濯機用修正バッフル（４）によっては不等辺四角形を成すこともある。この突出構造の頂点（７）を含む尾根を作る個所から見て一番急傾斜の斜面（以後「一番急傾斜の斜面」を「正面」と呼ぶ）は傾斜角が鋭いので、洗濯物（２）をバッフル（３）より高く洗濯物（２）を持ち上げる棚の機能を果たし、それ故何時も洗剤や水の影響で、滑走＆落下する状況が減り図７の様に“もみ洗い”と“たたき洗い”等の機械力を期待できる。
【００１０】
またそれの反対側の斜面（以後「反対側の斜面」を「背面」と呼ぶ）の長さは正面（６）の長さと比べ相対的に長く、その傾斜は正面及びバッフルの傾斜角より相対的に緩やかになる形状にし、洗濯機用修正バッフル（４）は洗濯物（２）の移動を妨げる壁を作らない。背面（５）は洗濯物（２）の移動を妨げる凹凸構造がない等々の特徴を持つ。洗濯物（２）を攪拌する為の個々のバッフル（３）に上から被せて使用することを特徴とする洗濯機用修正バッフル（４）で、これにより洗濯物（２）の分散の障害になることは改善され、図３の（Ｂ）に様にドラム（１）の内周壁に広く分散し、振動の軽減に役立つ。
【００１１】
振動軽減は以下の様になり効果が生まれる。ドラム式洗濯機のドラム（１）は基本構造として弾性体で中空に支えられている。それ故  洗濯物（２）の偏りにより、共振振動を誘発することが非常に多い。振動を誘発しない基本は洗濯物（２）を均等にドラム（１）の内周壁に分散することである。脱水工程では洗濯物（２）の分散の順序は先ず初めにドラム（１）が脱水の為の回転を始めると、遠心力の影響でドラム（１）の内壁に接している洗濯物（２）から、ドラム（１）の内周壁に固定され、回転の中心に近いものが最後に
ドラム（１）の内周壁に固定される。  
図３の（Ａ）の様に一箇所に洗濯のもが偏在すると揺れが激しくなるが、図３の（Ｂ）の様に２箇所に分散すると共振しづらくなり、揺れは相対的に振動が軽減する。洗濯物（２）がドラム（１）の内周壁に均等に分散すると振動は起こらない。
【発明の効果】
【００１２】
本発明の効果として、
１．機械力による洗浄力が高まり,洗濯時間が短縮する。
２．脱水時の振動が少なくなる。
３．現在使用中の洗濯機に簡単に取り付け可能で安価である。
【実施例】
【００１３】
図５を参酌しつつ本発明の実施の形態について説明する。洗濯機用修正バッフル（４）を図５の様に、バッフル（３）の上に被せて固定する。洗濯工程でドラム（１）が反時計回りに回転する時、洗濯物（２）は洗濯機用修正バッフル（４）の右側の棚に乗って洗濯物（２）は高い位置から洗濯物（２）が落とされる。
【００１４】
ドラム（１）が時計周りに脱水回転する時、回転の反対方向に突起物がないので、洗濯物（２）は滑らかに補修用バッフル（４）の上部を超えて分散する。
【産業上の利用可能性】
【００１５】
横回転のドラム式洗濯機に利用すると、節水、節電が従来のドラム式洗濯機より優れ、日本式の木造家屋でも使えるようになりドラム式洗濯機の普及に弾みが付く。